(57)【特許請求の範囲】
【請求項１】
マッサージ機であって、
ベース部と、
前記ベース部に設けられた膨縮自在なエアバッグと、
前記エアバッグ内に設けられたクッション部材と、
サブエアバックと、を含み、
前記サブエアバックは、前記エアバッグ内に設けられ、かつ前記エアバッグよりも膨張可能な内部空間量が小さく形成され、かつエア供給により膨張した場合に前記ベース部から離れた面に前記クッション部材が設けられる、マッサージ機。
【請求項２】
前記クッション部材には、１または複数の面状ヒータが配置された、請求項１記載のマッサージ機。
【請求項３】
前記面状ヒータは、前記クッション部材の少なくとも前記ベース部と反対の面に設けられた、請求項２に記載のマッサージ機。
【請求項４】
前記面状ヒータは、前記クッション部材の中央部に設けられた、請求項２に記載のマッサージ機。
【請求項５】
マッサージ機であって、
ベース部と、
前記ベース部に設けられた膨縮自在なエアバッグと、
前記エアバッグ内に設けられたクッション部材と、を含み、
前記クッション部材は、前記エアバック内の前記ベース部側に設けられた発泡部材からなり、
前記クッション部材には、１または複数の面状ヒータが配置された、マッサージ機。
【請求項６】
前記面状ヒータは、前記クッション部材の少なくとも前記ベース部と反対の面に設けられた、請求項５に記載のマッサージ機。
【請求項７】
前記面状ヒータは、前記クッション部材の中央部に設けられた、請求項５に記載のマッサージ機。
【発明の詳細な説明】
【技術分野】
【０００１】
本発明は、マッサージ機に関する。
【背景技術】
【０００２】
特開２０１３−２０８３３２号公報（特許文献１）には、比較的簡単な構成で、指圧系のマッサージとさすり系のマッサージとを両立する着座式マッサージ装置について開示されている。
【０００３】
特開２００４−３５７９４６号公報（特許文献２）には、エアマッサージ機に一般に用いられる空気袋を使用しながらも、空気袋が被施療部位を押圧したとき空気袋の表面の硬さを被施療部位に感じさせないのは勿論、空気袋の膨張圧を被施療部位の広い範囲に略均一に負荷させるようにして、被施療部位に施すマッサージの快適さを向上できるエアマッサージ機について開示されている。
【先行技術文献】
【特許文献】
【０００４】
【特許文献１】特開２０１３−２０８３３２号公報
【特許文献２】特開２００４−３５７９４６号公報
【発明の概要】
【発明が解決しようとする課題】
【０００５】
特許文献１または特許文献２には、エアバッグ（空気袋）と緩衝材との関係について記載されている。特に、特許文献２には、クッション材を空気袋の被施療部位側に重ねて配置することが記載されている。
【０００６】
特に、基材にクッション材が設けられ、当該クッション材にエアバッグが積層された場合、当該エアバッグの膨張量がクッション材に吸収されて、被施療者にエアバッグの膨張量の全てが伝達されないという問題が生じる。
また、特許文献２のように、基材にエアバッグが設けられ、当該エアバッグにクッション材が積層された場合、当該エアバッグの膨張量がクッション材に吸収されて、被施療者にエアバッグの膨張量に応じた圧力の全てが伝達されないという問題が生じる。
【０００７】
本発明の主な目的は、被施療者に確実にエアバッグの膨張量に応じた圧力の全てを供与することができるマッサージ機を提供することである。
【課題を解決するための手段】
【０００８】
（１）
一局面に従うマッサージ機は、マッサージ機であって、ベース部と、ベース部に設けられた膨縮自在なエアバッグと、エアバッグ内に設けられたクッション部材と、を含むものである。
【０００９】
この場合、ベース部に設けられたエアバッグが、膨張する場合、エアバッグがベース部に直接設けられているので、エアバッグの膨張力を被施療者に直接供与することができる。すなわち、クッション部材によるクッション性を被施療者に供与することを防止することができる。
また、エアバッグ内にクッション部材が設けられているので、エアバッグを膨張させない場合、クッション部材のクッション性を被施療者に直接供与することができる。
【００１０】
（２）
第２の発明にかかるマッサージ機は、一局面に従うマッサージ機において、クッション部材は、エアバッグ内のベース部側に設けられてもよい。
【００１１】
この場合、クッション部材は、エアバッグ内のベース部側に設けられているので、エアバッグを膨張させない場合、クッション部材が確実にクッション性を被施療者に供与することができる。
【００１２】
（３）
第３の発明にかかるマッサージ機は、一局面に従うマッサージ機において、サブエアバックをさらに含み、サブエアバックは、エアバッグ内に設けられ、かつエアバッグよりも膨張可能な内部空間量が小さく形成され、かつベース部から離れた面にクッション部材が設けられてもよい。
【００１３】
この場合、サブエアバッグのみを膨張させることで、クッション性のあるエアバッグ施療をさらに行うことができる。
また、エアバッグのみを膨張させることで、エアバッグの膨張力を被施療者に直接供与することができる。
その結果、施療のバリエーションを増加することができる。
【００１４】
（４）
第４の発明にかかるマッサージ機は、一局面から第３の発明にかかるマッサージ機において、クッション部材は、発砲部材からなってもよい。
【００１５】
この場合、クッション部材は、発泡部材からなるので、緩衝性および可撓性を保持させることができる。
【００１６】
（５）
第５の発明にかかるマッサージ機は、一局面から第４の発明にかかるマッサージ機において、クッション部材には、１または複数の面状ヒータが内蔵されてもよい。
【００１７】
この場合、クッション部材には、１または複数の面状ヒータが内蔵されるので、被施療者に対して温熱効果を供与することができる。
なお、面状ヒータには、シート状ヒータ、ＰＴＣヒータ等が含まれる。
【００１８】
（６）
第６の発明にかかるマッサージ機は、第５の発明にかかるマッサージ機において、面状ヒータは、クッション部材の少なくとも外観側に設けられてもよい。
【００１９】
この場合、面状ヒータは、クッション部材の少なくとも外観側に設けられるので、被施療者に効率よく温熱効果を供与することができる。
【００２０】
（７）
第７の発明にかかるマッサージ機は、第５の発明にかかるマッサージ機において、面状ヒータは、クッション部材の中央部に設けられてもよい。
【００２１】
この場合、マッサージ機のクッション部材の中央部に面状ヒータが設けられるので、クッション部材を通して被施療者に温熱効果を供与することができる。
【図面の簡単な説明】
【００２２】
【図１】本発明の実施形態にかかる椅子式マッサージ機の構成を示す斜視図である。
【図２】従来の腰エアバッグ部の一例を示す模式図である。
【図３】従来の腰エアバッグ部の一例を示す模式図である。
【図４】従来の腰エアバッグ部の他の例を示す模式図である。
【図５】従来の腰エアバッグ部の他の例を示す模式図である。
【図６】本発明の実施の形態にかかる腰エアバッグ部の一例を示す模式図である。
【図７】本発明の実施の形態にかかる腰エアバッグ部の一例を示す模式図である。
【図８】本発明の実施の形態にかかる腰エアバッグ部の他の例を示す模式図である。
【図９】本発明の実施の形態にかかる腰エアバッグ部のさらに他の例を示す模式図である。
【図１０】本発明の実施の形態にかかる腰エアバッグ部のさらに他の例を示す模式図である。
【図１１】本発明の実施の形態にかかる腰エアバッグ部のさらに他の例を示す模式図である。
【図１２】本発明の実施の形態にかかる腰エアバッグ部のさらに他の例を示す模式図である。
【発明を実施するための形態】
【００２３】
以下、図面を参照して、本発明の実施形態を詳しく説明する。図中同一又は相当部分には同一符号を付してその説明を繰り返さない。なお、説明をわかりやすくするために、以下で参照する図面においては、構成が簡略化または模式化して示されたり、一部の構成部材が省略されたりしている。また、各図に示された構成部材間の寸法比は、必ずしも実際の寸法比を示すものではない。
【００２４】
[実施の形態]  
図１は、本発明の実施形態にかかる椅子式マッサージ機１００の構成を示す斜視図である。
図１に示すように、本発明の実施形態による椅子式マッサージ機１００は、座部２００、腰エアバッグ部２５０、背凭れ部３００、基台部４００、腕施療部５００、操作部７００、スタンド８００および脚載部９００を備える。
【００２５】
なお、以下の説明において、図１に示すように、椅子式マッサージ機１００においては、座部２００に背凭れ部３００が形成された側を後側（ＢＡＣＫ）と仮定し、後側（ＢＡＣＫ）と逆側を前側（ＦＲＯＮＴ）と仮定し、それぞれ、左側（ＬＥＦＴ）および右側（ＲＩＧＨＴ）と、上側（ＵＰ）および下側（ＤＯＷＮ）とを仮定する。  
【００２６】
図１に示すように、椅子式マッサージ機１００の背凭れ部３００は、被施療者の肩、腰、背中を支持するとともに、前後方向に起倒可能に形成される。また、背凭れ部３００には、施療子（一対の揉み玉）がガイドレールに沿って上下方向に移動可能に内蔵されている。施療子は、揉み、叩き、ローリングなどの多様な施療動作が可能なよう、一対の揉み玉で形成される。
【００２７】
図１の座部２００に立設して設けられた腰エアバッグ部２５０には、１または複数の反復膨張する膨縮袋２５２（エアー施療部）（図６、７参照）が内蔵され、該膨縮袋２５２により被施療者の臀部を支持しつつ施療する。また、脚載部９００は、座部２００および基台部４００の前端に軸支され、脚載部９００自体が回動可能に設けられている。
脚載部９００においては、腰エアバッグ部２５０と同様の１または複数の反復膨張する膨縮袋２５２（図示略）が設けられており、該膨縮袋２５２により被施療者の脚を施療する。
【００２８】
また、腕施療部５００は、図１の座部２００の左右両側に立設して設けられる。腕施療部５００には、腰エアバッグ部２５０と同様の１または複数の反復膨張する膨縮袋２５２（図示略）が内蔵され、該膨縮袋２５２により被施療者の腕を支持しつつ施療する。
【００２９】
次に、従来の腰エアバッグ部９５０の構造の一例について説明を行い、その後、本実施の形態にかかる腰エアバッグ部２５０の構造の一例について説明を行う。
【００３０】
図２および図３は、従来の腰エアバッグ部９５０の一例を示す模式図であり、図４および図５は、従来の腰エアバッグ部９５０の他の例を示す模式図である。
なお、図２および図４は腰エアバッグ部９５０，９５０ａの膨縮袋９５２が収縮した状態を示し、図３および図５は腰エアバッグ部９５０，９５０ａの膨縮袋９５２が膨張した状態を示す。
【００３１】
まず、図２および図３に示す腰エアバッグ部９５０は、ベースとなるフレームまたはフレームに取り付けられた樹脂部品９５１（以下、ベース部と呼ぶ）に対して、膨縮袋９５２が取り付けられ、クッション性のあるウレタンフォーム９５４が積層して設けられる。
【００３２】
この場合、図２に示す腰エアバッグ部９５０においては、クッション性のあるウレタンフォーム９５４自体の素材の厚みＴ１に対して被施療者の圧力による凹み量ＡＢＳＴ１が生じる。被施療者は、凹み量ＡＢＳＴ１によりクッション性を感じることができる。
【００３３】
一方、図３に示す腰エアバッグ９５０においては、膨縮袋９５２が膨張しているため、膨縮袋９５２自体の厚みＴ２にウレタンフォーム９５４自体の厚みＴ１が加えられる厚みになる。
しかしながら、被施療者の圧力によってウレタンフォーム９５４の凹み量ＡＢＳＴ１が生じてしまい、膨縮袋９５２の膨張量が凹み量ＡＢＳＴ１の分だけ減少する現象が生じる。したがって、被施療者は、膨縮袋９５２の膨張量に応じた圧力から凹み量ＡＢＳＴ１によるクッション性を差し引いた圧力を感じることとなり、被施療者が望む圧力を感じることができない。
【００３４】
次に、図４および図５に示す腰エアバッグ部９５０ａは、ベースとなるフレームまたはフレームに取り付けられた樹脂部品９５１（以下、ベース部と呼ぶ）に対して、クッション性のあるウレタンフォーム９５４が取り付けられ、膨縮袋９５２が積層して設けられる。
【００３５】
この場合、図４に示す腰エアバッグ９５０ａにおいては、クッション性のあるウレタンフォーム９５４自体の素材の厚みＴ１に対して被施療者の圧力によって凹み量ＡＢＳＴ１が生じる。この場合、膨縮袋９５２の厚みは、膨縮袋９５２が収縮状態なので、無視することができる。したがって、図２と同様に、被施療者は、凹み量ＡＢＳＴ１によりクッション性を感じることができる。
【００３６】
一方、図５に示す腰エアバッグ部９５０ａにおいては、膨縮袋９５２が膨張しているため、膨縮袋９５２自体の厚みＴ２にウレタンフォーム９５４自体の厚みＴ１が加えられる厚みになる。
しかしながら、被施療者の圧力によって膨縮袋９５２が押圧され、ウレタンフォーム９５４の凹み量ＡＢＳＴ１が生じてしまい、膨縮袋９５２の膨張量が凹み量ＡＢＳＴ１の分だけ減少する現象が生じる。
したがって、被施療者は、膨縮袋９５２の膨張量に応じた圧力から凹み量ＡＢＳＴ１によるクッション性を差し引いた圧力を感じることとなり、被施療者が望む圧力を感じることができない。
【００３７】
（本実施の形態にかかる腰エアバッグ部）
次いで、図６および図７は、本実施の形態にかかる腰エアバッグ部２５０の一例を示す模式図である。
本実施の形態にかかる腰エアバッグ部２５０は、ベースとなるフレームまたはフレームに取り付けられた樹脂部品２５１（以下、ベース部と呼ぶ）に対して、膨縮袋２５２が設けられ、膨縮袋２５２の内部にウレタンフォーム２５４がベース部側に設けられている。
【００３８】
図６に示すように、膨縮袋２５２が収縮状態にある場合、クッション性のあるウレタンフォーム２５４自体の素材の厚みＴ１に対して被施療者の圧力による凹み量ＡＢＳＴ１が生じる。この場合、膨縮袋２５２の厚みは、膨縮袋２５２が収縮状態なので無視することができる。
したがって、本実施の形態におけるマッサージ機１００においては、膨縮袋２５２が縮小している場合（エアーが抜かれている場合）従来の図２および図４と同様に、被施療者は、凹み量ＡＢＳＴ１によりクッション性を感じることができる。
【００３９】
次いで、図７に示すように、膨縮袋２５２が膨張状態にある場合、膨縮袋９５２自体の厚みＴ２で、被施療者に圧力を供与することができる。
すなわち、被施療者が、膨縮袋２５２による圧力を適切に供与することができ、ウレタンフォーム２５４の凹み量ＡＢＳＴ１によるクッション性でマッサージ効果を減衰させることを防止することができる。
【００４０】
したがって、本実施の形態にかかるマッサージ機１００の腰エアバッグ部２５０においては、クッション性を維持するとともに、膨縮袋２５２の膨張時にクッション性を生じさせず、適切な圧力を被施療者に供与することができるという効果を奏する。
【００４１】
（腰エアバッグ部の他の例）
図８は、本発明にかかる腰エアバッグ部２５０の他の例を示す模式図である。以下、図８に示す腰エアバッグ部２５０ａが図６および図７に示す腰エアバッグ部２５０と異なる点について説明を行う。腰エアバッグ部２５０ａが腰エアバッグ部２５０と同一の点については、説明を省略する。
【００４２】
図８に示すように、腰エアバッグ部２５０ａは、図６および図７の腰エアバッグ部２５０のクッション性のあるウレタンフォーム２５４の一面に、ＰＴＣ（正温度係数）面状発熱体２５６ａを設けたものである。なお、ＰＴＣ面状発熱体２５６ａに限定されず、フィルムヒータからなってもよい。
【００４３】
ここで、ＰＴＣ面状発熱体２５６ａは、温度が上昇した場合、抵抗値も上昇する性質を有する。その結果、温度が緩やかに上昇した後、所定の温度で安定するため温度調整回路が不要となり、コスト増加を抑制することができる。また、消費電力も一定となるため、電力削減することができる。
【００４４】
（腰エアバッグ部のさらに他の例）
図９は、本発明にかかる腰エアバッグ部２５０のさらに他の例を示す模式図である。以下、図９に示す腰エアバッグ部２５０ｂが図６、図７および図８に示す腰エアバッグ部２５０，２５０ａと異なる点について説明を行う。腰エアバッグ部２５０ｂが腰エアバッグ部２５０，２５０ａと同一の点については、説明を省略する。
【００４５】
図９に示すように、腰エアバッグ部２５０ｂは、腰エアバッグ部２５０のクッション性のあるウレタンフォーム２５４の内部に、ＰＴＣ（正温度係数）面状発熱体２５６ｂを設けたものである。具体的には、ＰＴＣ面状発熱体２５６ｂをウレタンフォーム２５４でサンドイッチ状に形成したものである。なお、ＰＴＣ面状発熱体２５６ｂに限定されず、フィルムヒータからなってもよい。
【００４６】
（腰エアバッグ部のさらに他の例）
図１０、図１１および図１２は、本発明にかかる腰エアバッグ部２５０のさらに他の例を示す模式図である。以下、図１０乃至図１２に示す腰エアバッグ部２５０ｃが図６乃至図９に示す腰エアバッグ部２５０，２５０ａ，２５０ｂと異なる点について説明を行う。腰エアバッグ部２５０ｃが腰エアバッグ部２５０，２５０ａ，２５０ｂと同一の点については、説明を省略する。
【００４７】
図１０乃至図１２に示すように、腰エアバッグ部２５０ｃは、ベース部２５１に対して、膨縮袋２５２ｃおよび膨縮袋２５２ｄと、ウレタンフォーム２５４とを含む。膨縮袋２５２ｃは、膨縮袋２５２ｄより膨張時の大きさが大きく設けられる。
【００４８】
また、図１０に示すように、ベース部２５１に対して、膨縮袋２５２ｃが設けられ、膨縮袋２５２ｃの内部に、膨縮袋２５２ｄが設けられる。図１０に示すように、膨縮袋２５２ｄの一面は、ベース部２５１に取り付けられている。
また、膨縮袋２５２ｄの他の面には、ウレタンフォーム２５４が設けられている。
【００４９】
この場合、図１１に示すように、ウレタンフォーム２５４のクッション性を得たい場合には、膨縮袋２５２ｃ，２５２ｄを収縮させることで対応することができる。
また、図１２に示すように、ウレタンフォーム２５４のクッション性を得つつ、膨縮袋による施療を希望する場合には、膨縮袋２５２ｄのみを膨張させて厚みＴ２１を被施療者に供与しつつ、ウレタンフォーム２５４のクッション性を供与することができる。
最後に、図１０に示すように、ウレタンフォーム２５４のクッション性を得ずに、膨縮袋のみによる施療を希望する場合には、少なくとも膨縮袋２５２ｃを膨張させることで対応することができる。この場合、膨縮袋２５２ｄを膨張させたとしても、ウレタンフォーム２５４が膨縮袋２５２ｃの内面に接しないため、膨張袋２５２ｃの膨張量Ｔ２を確実に被施療者に供与することができる。なお、図１０においては、説明のために膨縮袋２５２ｄを膨張させているが、これに限定されず、収縮させていてもよい。
【００５０】
以上のように、本実施の形態にかかるマッサージ機１００は、ベース部２５１に設けられた膨縮袋２５２が膨張する場合、膨縮袋２５２がベース部２５１に直接設けられているので、膨縮袋２５２の膨張力を被施療者に直接供与することができる。
また、膨縮袋２５２内にウレタンフォーム２５４が設けられているので、膨縮袋２５２を膨張させない場合、ウレタンフォーム２５４のクッション性を被施療者に直接供与することができる。
【００５１】
また、ウレタンフォーム２５４は、膨縮袋２５２内のベース部２５１側に設けられているので、膨縮袋２５２を膨張させない場合、ウレタンフォーム２５４が確実にクッション性を被施療者に供与することができる。
さらに、ウレタンフォーム２５４は、発泡部材からなるので、緩衝性および可撓性を保持させることができる。
【００５２】
また、ウレタンフォーム２５４には、１または複数のＰＴＣ（正温度係数）面状発熱体２５６ａが内蔵されるので、被施療者に対して温熱効果を供与することができる。
さらに、ＰＴＣ（正温度係数）面状発熱体２５６ａは、ウレタンフォーム２５４の少なくとも外観側、または、ウレタンフォーム２５４の中央部に設けられるので、被施療者に効率よく温熱効果を供与することができる。
【００５３】
以上、本発明の実施形態について説明したが、本発明は、上記した実施形態に限定されることはなく、種々変形することが可能である。
例えば、ウレタンフォーム２５４は、発泡性素材に限定されず、スポンジ状、その他クッション性を有する布、素材を用いてもよい。
さらに、腰エアバッグ部２５０から２５０ｃまでについて説明を行ったが、これに限定されず、脚載部９００、腕施療部５００、背凭れ部３００、座部２００におけるエアバッグ部に適用してもよい。
また、本実施の形態においては、椅子式マッサージ機１００について説明したが、これに限定されず、他の任意のマッサージ機のエアバッグ部に適用することができる。
【００５４】
（実施形態における各部と請求項の各構成要素との対応関係）
本発明において、椅子式マッサージ機１００が、「マッサージ機」に相当し、座部２００が「座部」に相当し、背凭れ部３００が「背もたれ部」に相当し、ベース部２５１が「ベース部」に相当し、膨縮袋２５２，２５２ｃが「エアバッグ」に相当し、膨縮袋２５２ｄが「サブエアバッグ」に相当し、ウレタンフォーム２５４が「クッション部材」に相当し、ＰＴＣ面状発熱体２５６ａ，２５６ｂが「面状ヒータ」に相当する。
【００５５】
本発明の好ましい一実施の形態は上記の通りであるが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【符号の説明】
【００５６】
１００  椅子式マッサージ機
２００  座部
２５１  ベース部
２５２，２５２ｃ  膨縮袋
２５２ｄ  膨縮袋
２５４  ウレタンフォーム
２５６ａ，２５６ｂ  ＰＴＣ面状発熱体
３００  背凭れ部
【図１】
0006712155.tif 000002
【図２】
0006712155.tif 000003
【図３】
0006712155.tif 000004
【図４】
0006712155.tif 000005
【図５】
0006712155.tif 000006
【図６】
0006712155.tif 000007
【図７】
0006712155.tif 000008
【図８】
0006712155.tif 000009
【図９】
0006712155.tif 000010
【図１０】
0006712155.tif 000011
【図１１】
0006712155.tif 000012
【図１２】
0006712155.tif 000013